(57)【特許請求の範囲】
【請求項１】
記憶装置と、
出力指示が入力される入力手段と、
前記入力手段に前記出力指示が入力される度に、表示装置に画像を出力して、当該表示装置に当該画像を表示させ、かつ、当該表示装置に出力した複数の画像を前記記憶装置に出力する出力手段と、を有する情報処理装置と、を含む情報処理システムにおいて、
前記情報処理装置または前記記憶装置のうち何れか一方は、
前記出力手段により出力された複数の画像の出力の順序を取得する順序取得手段を含み、
前記情報処理装置または前記記憶装置のうち何れか一方は、
前記情報処理装置により、前記表示装置に２回以上出力された画像がある場合に、
当該画像が前記情報処理装置により出力された時から、当該画像が次に前記情報処理装置により出力された時までに、前記情報処理装置により出力された１以上の画像を、当該画像に従属する従画像とし、前記複数の画像のうち、前記従画像以外の画像を主画像とする旨の関係情報を生成する生成手段を含み、
前記記憶装置は、前記生成手段により生成された前記関係情報に基づいて、当該複数の画像を記憶することを特徴とする情報処理システム。
【請求項２】
情報処理装置に出力指示が入力される度に、当該情報処理装置は画像を表示装置に出力して、当該表示装置に当該画像を表示させ、当該表示装置に出力された複数の画像を記憶する画像記憶手段を有する記憶装置であって、
前記表示装置に出力された複数の画像の出力の順序を取得する順序取得手段と、
前記情報処理装置により、前記表示装置に２回以上出力された画像がある場合に、
当該画像が前記情報処理装置により出力された時から、当該画像が次に前記情報処理装置により出力された時までに、前記情報処理装置により出力された１以上の画像を、当該画像に従属する従画像とし、前記複数の画像のうち、前記従画像以外の画像を主画像とする旨の関係情報を生成する生成手段と、を有し、
前記画像記憶手段は、前記生成手段により生成された前記関係情報に基づいて、当該複数の画像を記憶する記憶装置。
【請求項３】
前記生成手段は、前記１以上の画像のうち、所定の条件を満たす画像を前記従画像としない旨の前記関係情報を生成することを特徴とする請求項２記載の記憶装置。
【請求項４】
前記所定の条件を満たす画像は、
前記複数の画像のうち最初の画像が前記情報処理装置により今後出力されることを示す開始信号が前記情報処理装置に入力された場合に、前記開始信号が入力された時以前に、前記情報処理装置により出力された画像を含むことを特徴とする請求項３記載の記憶装置。
【請求項５】
前記１以上の画像それぞれの前記表示装置に出力されている出力時間を取得する時間取得手段を有し、
前記所定の条件を満たす画像は、
前記時間取得手段により取得された前記出力時間が予め定められた閾値未満である画像を含むことを特徴とする請求項３または４記載の記憶装置。
【請求項６】
前記１以上の画像の数を計測する計測手段を有し、
前記所定の条件を満たす画像は、
前記計測手段により計測された画像の数が予め定められた閾値以上である場合には、前記１以上の画像全てであることを特徴とする請求項３〜５何れか１項記載の記憶装置。
【請求項７】
前記表示装置に他の情報処理装置からも画像が出力される場合に、前記他の情報処理装置から出力された画像を前記従画像とするか否かが設定され、
前記所定の条件を満たす画像は、
前記他の情報処理装置から出力された画像を前記従画像としないと設定された場合に、前記他の情報処理装置から出力された画像を含むことを特徴とする請求項３〜６何れか１項記載の記憶装置。
【請求項８】
前記情報処理装置は複数あり、
前記複数の情報処理装置それぞれの画像の出力回数を取得する出力回数取得手段を有し、
前記生成手段は、前記画像の出力回数が最も多い情報処理装置が出力した画像を前記主画像とする旨の関係情報を生成することを特徴とする請求項２〜７何れか１項記載の記憶装置。
【請求項９】
前記複数の画像のうち、最初の画像が前記情報処理装置により今後出力されることを示す開始信号、および、最後の画像が前記情報処理装置により既に出力されたことを示す終了信号が前記情報処理装置に入力され、当該開始信号が入力された時から当該終了信号が入力された時までを所定期間とし、
前記生成手段は、現在の前記所定期間、および、当該現在の前記所定期間以前の１以上の前記所定期間それぞれについて同一の前記主画像があり、かつ、当該同一の主画像に従属する異なる従画像がある場合には、当該異なる従画像間について関連があることも示す前記関係情報を生成することを特徴とする請求項２〜８何れか１項記載の記憶装置。
【請求項１０】
前記画像は、複数の単位画像から構成されており、
前記情報処理装置により前記出力指示が入力された時に、前記情報処理装置により出力している前記単位画像を取得する画像取得手段を有し、
前記画像記憶手段は、前記複数の画像と、前記複数の画像それぞれについての、前記画像取得手段により取得された前記単位画像と、も対応付けて記憶することを特徴とする請求項２〜９何れか１項記載の記憶装置。
【請求項１１】
出力指示が入力される入力手段と、
前記入力手段に前記出力指示が入力される度に、表示装置に画像を出力して、当該表示装置に当該画像を表示させる出力手段と、
前記出力手段により出力された複数の画像の出力の順序を取得する順序取得手段と、
前記出力手段により２回以上出力された画像がある場合に、当該画像が前記出力手段により出力された時から、当該画像が次に前記出力手段により出力された時までに、前記出力手段により出力された１以上の画像を、当該画像に従属する従画像とし、前記複数の画像のうち、前記従画像以外の画像を主画像とする旨の関係情報を生成する生成手段と、
前記生成手段により生成された前記関係情報に基づいて、当該複数の画像を記憶させる記憶制御手段と、を有することを特徴とする情報処理装置。
【請求項１２】
前記生成手段は、前記１以上の画像のうち、所定の条件を満たす画像を前記従画像としない旨の前記関係情報を生成することを特徴とする請求項１１記載の情報処理装置。
【請求項１３】
前記所定の条件を満たす画像は、
前記複数の画像のうち最初の画像が前記出力手段により今後出力されることを示す開始信号が前記入力手段に入力された場合に、前記開始信号が入力された時以前に、前記出力手段により出力された画像を含むことを特徴とする請求項１２記載の情報処理装置。
【請求項１４】
前記１以上の画像それぞれの前記表示装置に出力されている出力時間を取得する時間取得手段を有し、
前記所定の条件を満たす画像は、
前記時間取得手段により取得された前記出力時間が予め定められた閾値未満である画像を含むことを特徴とする請求項１２または１３記載の情報処理装置。
【請求項１５】
前記１以上の画像の数を計測する計測手段を有し、
前記所定の条件を満たす画像は、
前記計測手段により計測された画像の数が予め定められた閾値以上である場合には、前記１以上の画像全てであることを特徴とする請求項１２〜１４何れか１項記載の情報処理装置。
【請求項１６】
コンピュータを、
情報処理装置から出力指示が入力される度に表示装置に出力された複数の画像それぞれの出力の順序を取得する順序取得手段と、
２回以上出力された画像がある場合に、当該画像が出力された時から、当該画像が次に出力された時までに、出力された１以上の画像を、当該画像に従属する従画像とし、前記複数の画像のうち、前記従画像以外の画像を主画像とする旨の関係情報を生成する生成手段と、
前記生成手段により生成された前記関係情報に基づいて、当該複数の画像を記憶する画像記憶手段と、として機能させるプログラム。
【請求項１７】
出力指示が入力される入力手段と、前記入力手段に前記出力指示が入力される度に、表示装置に画像を出力して、当該表示装置に当該画像を表示させる出力手段と、を有するコンピュータを、
前記出力手段により出力された複数の画像の出力の順序を取得する順序取得手段と、
前記出力手段により２回以上出力された画像がある場合に、当該画像が前記出力手段により出力された時から、当該画像が次に前記出力手段により出力された時までに、前記出力手段により出力された１以上の画像を、当該画像に従属する従画像とし、前記複数の画像のうち、前記従画像以外の画像を主画像とする旨の関係情報を生成する生成手段と、
前記生成手段により生成された前記関係情報に基づいて、当該複数の画像を記憶させる記憶制御手段と、して機能させるプログラム。
【発明の詳細な説明】
【技術分野】
【０００１】
本発明は、情報処理装置、記憶装置、情報処理システム、プログラムに関する。
【背景技術】
【０００２】
会議中に、発表者が突発的に使用した資料を、参加者が会議中または会議終了後に所望する場合がある。当該参加者は、会議中または会議終了後に、メールや議事録、記憶装置（サーバ）にアクセスしてその資料を取得または閲覧することが出来る。会議で用いられた資料を参加者に容易に取得させるために、会議中に使用した資料を自動的にサーバに記憶する技術が提案されている。また、当該資料を記憶装置に記憶する際に、情報を付加し、当該参加者により、記憶された資料を容易に検索する技術も提案されている（例えば、特許文献１参照）。
【発明の概要】
【発明が解決しようとする課題】
【０００３】
しかし、特許文献１記載の技術では、複数の資料が、並列的に記憶装置に記憶されている。従って、資料を欲している参加者は、資料と資料との関係が分からないという問題があった。
【０００４】
本発明では、このような問題点を鑑みて、複数の資料間の関係が容易に把握されるように、当該複数の資料を記憶する情報処理装置、記憶装置、情報処理システム、プログラムを提供する。
【課題を解決するための手段】
【０００５】
本発明では、出力指示が入力される入力手段と、前記入力手段に前記出力指示が入力される度に、表示装置に画像を出力して、当該表示装置に当該画像を表示させる出力手段と、前記出力手段により出力された複数の画像の出力の順序を取得する順序取得手段と、前記順序取得手段に取得された前記複数の画像の出力の順序に基づいて、前記出力手段により出力された当該複数の画像間の関係を示す関係情報を生成する生成手段と、前記生成手段により生成された前記関係情報に基づいて、当該複数の画像を記憶させる記憶制御手段と、を有することを特徴とする情報処理装置を提供する。
【発明の効果】
【０００６】
本発明の情報処理装置、記憶装置、情報処理システム、プログラムであれば、複数の資料間の関係が容易に把握されるように、当該複数の資料を記憶することが出来る。
【図面の簡単な説明】
【０００７】
【図１】本実施例の情報処理システムの機能構成例を示した図。
【図２】本実施例の情報処理装置の機能構成例を示した図。
【図３】本実施例の記憶装置の機能構成例を示した図。
【図４】本実施例の情報処理システムの処理フローの一例を示した図。
【図５】本実施例の出力順序の一例を示した図。
【図６】本実施例の生成手段の処理フローを示した図。
【図７】本実施例の主資料と従資料の一例を示した図。
【図８】本実施例の関係情報を模式的に示した図。
【図９】本実施例の会議資料のレイアウトを示した図。
【図１０】別の実施形態の制御手段の機能構成例を示した図。
【図１１】別の実施形態の記憶装置の機能構成例を示した図。
【図１２】別の実施形態の出力順序の一例を示した図。
【図１３】別の実施形態の関係情報を模式的に示した図。
【図１４】別の実施形態の記憶装置の一例を示した図。
【図１５】別の実施形態の生成手段の処理フローを示した図。
【図１６】別の実施形態の関係情報を模式的に示した図。
【図１７】別の実施形態の出力順序の一例を示した図。
【図１８】別の実施形態の記憶装置の機能構成例を示した図。
【図１９】別の実施形態の情報処理システムの処理フローを示した図。
【図２０】別の実施形態の生成手段の処理フローを示した図。
【図２１】別の実施形態の関係情報を模式的に示した図。
【図２２】別の実施形態の出力順序の一例を示した図。
【図２３】別の実施形態の関係情報を模式的に示した図。
【図２４】別の実施形態の記憶装置の機能構成例を示した図。
【図２５】別の実施形態の生成手段の処理フローを示した図。
【図２６】別の実施形態の出力順序の一例を示した図。
【図２７】別の実施形態の記憶装置の機能構成例を示した図。
【図２８】別の実施形態の生成手段の処理フローを示した図。
【図２９】別の実施形態の関係情報を模式的に示した図。
【図３０】単位資料の一例を示した図。
【図３１】別の実施形態の情報処理システムの処理フローを示した図。
【図３２−１】別の実施形態の記憶装置の機能構成例を示した図。
【図３２−２】別の実施形態の情報処理装置の機能構成例を示した図。
【図３３】別の実施形態の会議資料のレイアウトを示した図。
【図３４】別の実施形態の情報処理システムの機能構成例を示した図。
【図３５】別の実施形態の記憶装置の機能構成例を示した図。
【図３６】別の実施形態の情報処理システムの処理フローを示した図。
【図３７】別の実施形態の出力順序の一例を示した図。
【図３８】別の実施形態の生成手段の処理フローを示した図。
【図３９】別の実施形態の関係情報を模式的に示した図。
【図４０】別の実施形態の関係情報を模式的に示した図。
【図４１】別の実施形態の出力順序の一例を示した図。
【図４２】別の実施形態の記憶装置の機能構成例を示した図。
【図４３】別の実施形態の生成手段の処理フローを示した図。
【図４４】別の実施形態の関係情報を模式的に示した図。
【発明を実施するための形態】
【０００８】
以下の各実施形態において、機能構成例、処理フローの説明では、同じ処理については、同じ参照番号、同じステップ番号を付加し、重複説明を省略する。
＜実施形態１＞
図１に、実施形態１の情報処理システムの機能構成例を示す。本実施例の情報処理システムは、主に、会議などで用いられる。以下の説明では、当該情報処理システムが会議で用いられた場合について説明する。また、「画像」を会議で用いられる「資料」として説明する。図１の例では、記憶装置２００、情報処理装置３００などを含む。また、当該情報処理システムに表示装置１００を含めるようにしてもよい。情報処理装置３００は、表示装置１００と接続されている。情報処理装置３００は、記憶装置２００とは、ネットワーク５０を介して、接続されている。
【０００９】
表示装置１００は例えば、プロジェクタである。表示装置１００は、情報処理装置３００から送信された資料を、スクリーンなどに投影して、会議参加者に見せる。記憶装置２００は、例えば、サーバ装置であり、情報処理装置３００から送信された資料などを記憶する。情報処理装置３００とは、様々な情報を処理するものであり、例えば、ＰＣ（Ｐｅｒｓｏｎａｌ  Ｃｏｍｐｕｔｅｒ）や、携帯電話、タブレットなどである。情報処理装置３００は、会議の発表者甲が取り扱うものである。発表者甲は、会議で発表する資料を情報処理装置３００に入力し、表示装置１００に出力して、表示装置１００に表示させる。また、表示装置１００に出力された資料は、自動的に記憶装置２００に送信されて記憶装置２００に記憶される。
【００１０】
図２に、本実施形態１の情報処理装置３００のハードウェア機能構成例を示す。図２に示すように、本実施例の情報処理装置３００は、制御手段３１０、主記憶手段３１２、補助記憶手段３１４、外部記憶装置Ｉ／Ｆ手段３１６、通信手段３２０、入力手段３２２、表示手段３２４を含む。
【００１１】
制御手段３１０は、主記憶手段３１２に記憶されたプログラムを実行し、各手段の制御やデータの演算、加工を行う。主記憶手段３１２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などであり、制御手段３１０が実行する基本ソフトウェアであるＯＳやアプリケーションソフトウェアなどのプログラムやデータを記憶又は一時保存する記憶装置である。補助記憶手段３１４は、ＨＤＤ（Ｈａｒｄ  Ｄｉｓｋ  Ｄｒｉｖｅ）などであり、アプリケーションソフトウェアなどに関連するデータを記憶する記憶装置である。外部記憶装置Ｉ／Ｆ手段３１６は、データ伝送路を介して接続された記憶媒体３１８（例えば、フラッシュメモリなど）と情報処理装置３００とのインタフェースである。
【００１２】
また、記憶媒体３１８に、所定のプログラムを格納し、当該プログラムは外部記憶装置Ｉ／Ｆ手段３１６を介して情報処理装置３００にインストールされ、インストールされた所定のプログラムは情報処理装置３００により実行可能となる。
【００１３】
通信手段３２０は、有線及び／又は無線回線で接続された表示装置１００に資料（画像）を出力する。また、通信手段３２０は、有線及び／又は無線回線などのデータ伝送路により構築されたＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク５０を介して接続された記憶装置２００とのインタフェースである。入力手段３２２には、発表者甲から様々な情報が入力される。また、表示手段３２４には、様々な情報が表示され、発表者甲に当該情報を認識させる。以下では、通信手段３２０を出力手段３２０という場合もある。
【００１４】
図３に、記憶装置２００の機能構成例を示す。図３の例では、記憶装置２００は、画像記憶手段２０２と順序記憶手段２０４と順序取得手段２０６と生成手段２０８とを含む。情報処理装置３００は、表示装置２００に送信した画像を、記憶装置２００にも送信するが、画像記憶手段２０２は、当該送信された資料を記憶する。また、順序記憶手段２０４、順序取得手段２０６、生成手段２０８については、後述する。
【００１５】
図４に、情報処理システムの処理フローの一例を示す。図４を用いて、具体的な処理の流れを説明する。また、図５に情報処理装置３００の制御手段３１０の機能構成例を示す。図４の例では、発表者甲は、資料Ａ→資料Ｂ→資料Ａ→資料Ｘの順番で発表したとする。まず、発表者甲は、会議を始める場合には、情報処理装置３００の入力手段３２２から、開始信号を入力する（ステップＳ２）。
【００１６】
ここで、開始信号とは、情報処理装置３００、表示装置、記憶装置２００に会議を開始することを認識させる信号であり、複数の資料（資料Ａ、Ｂ、Ｘ）のうち最初の資料Ａが情報処理装置３００により今後出力されることを示す信号である。開始信号とは、発表者甲が情報処理装置３００の電源をＯＮにしたと同時に生成される信号でもよい。また、開始信号とは、発表者甲が情報処理装置３００の電源をＯＮにした後に、所定の処理により入力される信号でもよい。所定の処理とは、例えば、表示手段３２４に電子的に表示された開始ボタンをクリックすることなどとすればよい。
【００１７】
そうすると、情報処理装置３００の出力手段３２０は、表示装置１００および記憶装置２００の画像記憶手段２０２に、当該開始信号を出力する（ステップＳ４、ステップＳ６）。当該開始信号が、表示装置１００に送信されることで、表示装置１００は、会議が開始されたことを認識する。また、当該開始信号が、画像記憶手段２０２に送信されることで、記憶装置２００は、会議が開始されたことを認識する。
【００１８】
次に、発表者甲は、資料Ａを発表するために、入力手段３２２から第１出力指示を入力することで、当該資料Ａを表示装置１００に送信する。第１出力指示とは、例えば、発表者甲が表示手段３２４に電子的に表示された出力ボタンをクリックすることである。当該表示装置１００は、送信された資料Ａを表示させる（ステップＳ８）。また、情報処理装置３００は、資料Ａを表示装置１００に送信すると共に、記憶装置２００の画像記憶手段２０２にも送信し、当該資料Ａを記憶させる（ステップＳ１０）。画像記憶手段２０２が、資料Ａを記憶すると、画像記憶手段２０２は、順序記憶手段２０４に対して、情報処理装置３００により出力された資料の順序を更新させるための更新要求信号を順序記憶手段２０４に送信する（ステップＳ１２）。順序記憶手段２０４は、更新要求信号を受信すると、順序更新を行なう（ステップＳ１３）。ここでは、未だ、順序記憶手段２０４には、出力された資料の順序が記憶されていないことから、出力順序の１番目は「資料Ａ」であることが記憶される。
【００１９】
次に、発表者甲は、資料Ｂを発表するために、入力手段３２２から第１出力指示を入力することで、出力手段３２０が当該資料Ｂを表示装置１００に送信して当該資料Ｂを表示させる（ステップＳ１４）。情報処理装置３００は、資料Ｂを表示装置１００に送信すると共に、記憶装置２００の画像記憶手段２０２にも送信し、画像記憶手段２０２に当該資料Ｂを記憶させる（ステップＳ１６）。画像記憶手段２０２が、資料Ｂを記憶すると、画像記憶手段２０２は、順序記憶手段２０４に対して、情報処理装置３００により出力された資料の順序を更新させる（ステップＳ１８、Ｓ１９）。ここでは、順序記憶手段２０４には、出力順序の１番目は「資料Ａ」、２番目は「資料Ｂ」に更新される。
【００２０】
次に、発表者甲は、資料Ａを発表するために、入力手段３２２から第１出力指示を入力することで、当該資料Ａを表示装置１００に送信して当該資料Ａを表示させる（ステップＳ２０）。情報処理装置３００は、資料Ａを表示装置１００に送信すると共に、記憶装置２００の画像記憶手段２０２にも送信する。資料Ａは、ステップＳ１２で、既に画像記憶手段２０２に記憶されていることから、資料Ａを記憶させる必要はない。そして、画像記憶手段２０２は、順序記憶手段２０４に対して、情報処理装置３００により出力された資料の順序を更新させる（ステップＳ２４、Ｓ２５）。ここでは、順序記憶手段２０４には、出力順序の１番目は「資料Ａ」、２番目は「資料Ｂ」、３番目「資料Ａ」に更新される。
【００２１】
次に、発表者甲は、資料Ｘを発表するために、入力手段３２２から第１出力指示を入力することで、当該資料Ｘを表示装置１００に送信して当該資料Ｘを表示させる（ステップＳ２６）。情報処理装置３００は、資料Ｘを表示装置１００に送信すると共に、記憶装置２００の画像記憶手段２０２にも送信し、画像記憶手段２０２に当該資料Ｘを記憶させる（ステップＳ２８）。画像記憶手段２０２が、資料Ｘを記憶すると、画像記憶手段２０２は、順序記憶手段２０４に対して、情報処理装置３００により出力された資料の順序を更新させる（ステップＳ３０、Ｓ３１）。ここでは、順序記憶手段２０４には、出力順序の１番目は「資料Ａ」、２番目は「資料Ｂ」、３番目「資料Ａ」、４番目「資料Ｘ」に更新される。
【００２２】
このように、本実施例の出力手段３２０は、発表者甲により入力手段３２２から第１出力指示が入力される度に、表示装置１００に資料（この例では、資料Ａ、Ｂ、Ｘ）を出力する。そして、会議が終了した場合には、発表者甲は、情報処理装置３００の入力手段３２２から、終了信号を入力する（ステップＳ３２）。
【００２３】
当該終了信号とは、情報処理装置３００、表示装置１００、記憶装置２００に対して、会議が終了したことを認識させる信号である。終了信号とは、発表者甲が情報処理装置３００の電源をＯＦＦにしたと同時に生成される信号でもよい。また、終了信号とは、発表者甲が情報処理装置３００の電源をＯＮにした後に、所定の処理により入力される信号でもよい。所定の処理とは、例えば、表示手段３２４に電子的に表示された終了ボタンをクリックすることなどとすればよい。また、終了信号とは、最後の画像Ｘが出力手段３２０により既に出力されたことを示す信号である。
【００２４】
情報処理装置３００の出力手段３２０は、表示装置１００および記憶装置２００の画像記憶手段２０２に、入力された終了信号を出力する（ステップＳ３４、ステップＳ３６）。情報処理装置３００は発表者甲から、終了信号が入力されると、会議が終了されることを認識する。また、当該終了信号が、表示装置１００に送信されることで、表示装置１００は、会議が終了されたことを認識する。また、当該終了信号が、画像記憶手段２０２に送信されることで、記憶装置２００は、会議が終了されたことを認識する。また、開始信号が入力された時（ステップＳ２）から、終了信号が入力された時（ステップＳ３２）までが、１つの（今回の）会議の区間となる。
【００２５】
次に、順序取得手段２０６は、順序記憶手段２０４に記憶されている出力の順序を取得し、生成手段２０８に転送する（ステップＳ３８）。図５に、ステップＳ３１が終了した時点での順序記憶手段２０４に記憶されている出力順序の一例について示す。図５の例では、出力順序が１、２、３、４番目の資料名は、それぞれ資料Ａ、資料Ｂ、資料Ａ、資料Ｘとなる。
【００２６】
次に、生成手段３１０４は、順序取得手段３１０２に取得された複数の画像Ａ、Ｂ、Ｘそれぞれの出力の順序に基づいて、出力手段３２０により出力された複数の画像Ａ、Ｂ、Ｘ間の関係を示す関係情報を生成する（ステップＳ４２）。
【００２７】
次に、当該関係情報について説明する。この実施例での関係情報とは、１つの会議で表示された（発表された）複数の資料Ａ、Ｂ、Ｘにおいて、何れかが従資料（従画像）であり、従画像以外の画像が主資料（主画像）であることを示す情報である。主資料とは、１つの会議中で発表された資料において、主となる資料であり、従資料とは、当該主資料に従属する資料である。また、一般的な会議において、主資料はＮ（Ｎは２以上の整数）回発表されることが多く、ｎ回目の（ｎ＝１，...，Ｎ）主資料の発表とｎ＋１回目の主資料の発表との間に発表された資料は当該主資料に従属する資料となる場合が多い。本実施例では、このような現象を鑑みて、複数の資料を、主資料または従資料の何れかに決定する。
【００２８】
図６に、生成手段３１０４による関係情報の生成処理フローを示す。図５記載の出力順序に基づいて、図６の処理フローを説明する。まず生成手段３１０４は、出力順の最初の資料を比較対象資料とする（ステップＳ４２２）。ここで、最初の画像とは、今回の会議での最初の画像とする。図５の例では、最初の資料は、資料Ａであることから、資料Ａを比較対象資料とする。ステップＳ４２４では、生成手段３１０４は、比較対象資料Ａが同じ会議中にＮ回（Ｎは２以上の整数）以上出力されたか否かを判断する。この例では、比較対象資料Ａは２回（図５の例では１回目と３回目に）出力されていることから、ステップＳ４２４ではＹｅｓと判断される。
【００２９】
次に、ステップＳ４２６では、生成手段３１０４は、比較対象資料Ａがｎ回目（ｎ＝１，...，Ｎ）に出力された時から、ｎ＋１回目に（次に）出力された時までに、出力された資料（この例では、資料Ｂ）を比較対象資料Ａに従属する従資料とする。そして、ステップＳ４２８では、生成手段３１０４は、比較対象資料Ａの出力順が最後か否かを判断する。比較対象資料Ａは、最後の出力順ではないことから、ステップＳ４２８ではＮｏと判断される。ステップＳ４２８でＮｏと判断されると、ステップＳ４３４に移行する。
【００３０】
ステップＳ４３４では、生成手段３１０４は、出力順序が次の資料を比較対象資料とする。この例では、資料Ｂが比較対象資料となる。そして、ステップＳ４２４で、生成手段３１０４は、比較対象資料Ｂが、同じ会議中にＮ回以上出力したか否かを判断する。この例では、比較対象資料Ｂは、１回しか出力されていないことから、ステップＳ４２４ではＮｏと判断され、ステップＳ４３２に移行する。ステップＳ４３２では、生成手段３１０
４は、比較対象資料Ｂの次に出力された資料があるか否かを判断する。この例では、比較対象資料Ｂの次に出力された資料Ｘが存在することから、ステップＳ４３２ではＹｅｓと判断される。ステップＳ４３２でＹｅｓと判断されると、ステップＳ４３４に移行する。
【００３１】
ステップＳ４３４では、生成手段３１０４は、出力順序が次の資料を比較対象資料とする。この例では、資料Ｘが比較対象資料となる。ステップＳ４２４において、生成手段３１０４は、比較対象資料Ｘが同じ会議中にＮ回以上出力したか否かを判断する。資料Ｘは、１回しか出力されていないことから、ステップＳ４２４ではＮｏと判断される。そしてステップＳ４３２では、比較対象資料Ｘの次の資料があるか否かが判断される。
【００３２】
比較対象資料Ｘの次に出力された資料はないことから、ステップＳ４３２では生成手段３１０４によりＮｏと判断される。そして、ステップＳ４３０に移行する。ステップＳ４３０では、生成手段３１０４は、従資料Ｂ以外の資料Ａ、Ｘを主資料と決定する（ステップＳ４３０）。そして生成手段３１０４は、資料Ａ、Ｘが主資料であり、資料Ｂが資料Ａの従資料である旨の関係情報を生成する。
【００３３】
図７に、資料Ａ、資料Ｂ、資料Ｘそれぞれについての主資料、従資料について示す。上述のように、資料Ａ、Ｘは主資料となり、資料Ｂは、資料Ａに従属する従資料となる。また、資料Ｘについては、単独で１回出力されたので、資料Ａ、Ｂとは関連の小さい資料として判断される。
【００３４】
説明を図４に戻す。生成手段３１０４が関係情報を生成すると、記憶制御手段３１０６は、当該関係情報に基づいて、画像記憶手段２０２に記憶されている複数の画像Ａ、Ｂ、Ｘの記憶の手法（配置）を変更する。図８に生成された関係情報を模式的に示す。具体的には、図８に示すように、画像記憶手段２０２が、各資料Ａ、Ｂ、Ｘそれぞれを、関係情報で定められた主資料または従資料として記憶する。図８の例では、画像記憶手段２０２は、資料Ａ、資料Ｘを主資料として記憶し、資料Ｂを主資料Ａに従属する従資料として画像記憶手段２０２に記憶する。また、資料Ｘのように、従資料が無い資料についても主資料とする。
【００３５】
また、記憶制御手段３１０６は、全ての資料について、主資料となる資料については、当該主資料であることを示す主資料情報を付加し、従資料となる資料については、当該従資料であることを示す従資料情報を付加して、画像記憶手段２０２に記憶させるようにしてもよい。
【００３６】
そして、会議終了後、会議の資料の閲覧を所望する者、または、会議の資料の取得を所望する者（以下、単に「所望者」という。）は、図示しないＰＣ（以下、「アクセス端末」という。）などで、記憶装置２００の画像記憶手段２０２にアクセスする。当該アクセスとは、会議の資料の閲覧所望信号、または、会議の資料の取得要求信号を送信することである。図９に、所望者が、会議の資料を取得した場合に、アクセス端末の表示手段（図示せず）に表示される形式の一例を示す。
【００３７】
図９の例では、２０１１年７月３１日（水）１４：３０〜１５：３０に、会議室Ｃ２００６室で行なわれた会議で発表された資料のアイコンが表示手段３２４に表示されている。所望者は、資料Ａ、Ｂ、Ｘが会議で発表されたこと、および、資料Ｂは資料Ａに従属していること、資料Ｘは、資料Ａ、Ｂとは関連の薄いことを、容易に把握することが出来る。なお、図９では、所望者は、各資料Ａ、Ｂ、Ｘの各アイコンをクリックすることで、各資料Ａ、Ｂ、Ｘの詳細を閲覧することが出来る。また、図９はあくまで一例であり、全ての資料において、所望者が主資料、従資料を認識することが出来ればどのような表示にしてもよい。
【００３８】
また、順序記憶手段、順序取得手段、生成手段それぞれは、記憶装置２００または情報処理装置３００のうち、何れか一方に具備させるようにしてもよい。図１０に、制御手段３１０'の変形例の機能構成例を示し、図１１に記憶装置２００の変形例２００'を示す。図１０に示すように、制御手段３１０'は、順序取得手段３１０２、生成手段３１０４、記憶制御手段３１０６を有し、記憶装置２００'は、画像記憶手段２０２、順序記憶手段２０４を有する。順序取得手段２０６と順序取得手段３１０２とが同様の処理を行い、生成手段２０８と生成手段３１０４とが同様の処理を行なう。
【００３９】
図１０、図１１の場合には、記憶制御手段３１０６が、生成手段３１０４によって生成された関係情報に基づいて、記憶装置２００'内の画像記憶手段２０２に記憶させる。
【００４０】
また、順序記憶手段２０４を情報処理装置３００または表示装置１００に具備させてもよい。この場合には、順序取得手段２０６は、情報処理装置３００内または表示装置１００内の順序記憶手段２０４に記憶されている出力の順序を取得するようにしてもよい。
【００４１】
また、図４の例では、ステップＳ１０、Ｓ１６、Ｓ２２、Ｓ２８において、各資料Ａ、Ｂ、Ｘを画像記憶手段２０２に記憶させた後に、ステップＳ４２で関係情報を生成して、当該関係情報に基づいて、各資料Ａ、Ｂ、Ｘの記憶手法を変更した。別の手法として、ステップＳ１０、Ｓ１６、Ｓ２２、Ｓ２８で、各資料Ａ，Ｂ、Ｘを記憶させずに、関係情報が生成された時点で、当該関係情報に基づいて、各資料Ａ，Ｂ、Ｘを画像記憶手段２０２に一度に記憶させるようにしてもよい。
【００４２】
この実施形態１の情報処理装置によれば、出力された複数の資料それぞれの出力順序に基づいて、関係情報を生成する（図６参照）。そして、当該関係情報とは、複数の資料それぞれが、主資料または従資料を示す情報である。そして、当該関係情報に基づいて、複数の資料は、記憶装置２００に記憶される。従って、会議終了後に、所望者が、当該記憶されている複数の資料を閲覧、または、取得した場合でも、各資料間の関係を容易に把握することが出来る。
［実施形態２］
実施形態１では、図６記載のステップＳ４２６の条件を満たす資料については、従資料にするとした。実施形態２、後述する実施形態３、実施形態４では、更に正確な従資料を決定するために、ステップＳ４２６を満たす資料を「従資料候補」として、当該従資料候補のうち、所定の条件を満たす資料については、従資料から外すことができ、正確な従資料の決定を行なうことができる。
【００４３】
実施形態２の情報処理装置では、出力順序が図１２に示すものである場合に、更に正確な従資料の決定を行なうことができる。図１２の例では、今回の会議より以前の会議で資料Ｄが出力されており、今回の会議では、資料Ａ→資料Ｂ→資料Ｃ→資料Ｄ→資料Ａ→資料Ｘの順番で出力されたとする。出力順序が図１２の場合に、図６で説明した処理フローで生成手段２０８により関係情報を生成すると、主資料、従資料はそれぞれ、図１３に示すようになる。図１３の例では、資料Ａ、Ｘが主資料となり、資料Ｂ、Ｃ、Ｄはそれぞれ資料Ａに従属する従資料となる。
【００４４】
しかし、図１２に示すように、資料Ｄは以前の会議でも出力されていることから、資料Ａとは関係が薄い可能性が高い。そこで、実施形態２では、以前の会議（過去の会議）で出力された資料については、従資料とせず、主資料とする。また、資料Ｄが、以前の会議で使用されたことについては、主記憶手段３１２に記憶されているとする。
【００４５】
図１４に、実施形態２の記憶装置２００−２の機能構成例を示す。図３記載の記憶装置２００と比較して、事前出力判断手段２１０が追加されている。また、図１５には、実施形態２の生成手段２０８−２の関係情報の生成処理フローを示す。図１５の処理フローは、図６の処理フローと比較して、ステップＳ４５２、Ｓ４５４、Ｓ４５６が追加されている点で異なる。また、図１２に示す出力順序に基づいて、図１５を説明する。
【００４６】
ステップＳ４２２では、生成手段２０８−２は、出力順が最初の資料Ａを比較対象資料とする。次に、ステップＳ４２４では、生成手段２０８−２は、比較対象資料Ａが同じ会議中にＮ回以上出力されたか否かを判断する。この例では、比較対象資料Ａは、２回出力されているので、Ｙｅｓと判断される。次に、ステップＳ４５０では、比較対象資料Ａがｎ回目に出力された時からｎ＋１回目に出力された時までの間に出力された時までの間に出力された資料を比較対象資料Ａの従資料の候補とする。ここで、比較対象資料Ａが１回目に出力された時から、２回目に出力された時までの間に、出力された資料はＢ、Ｃ、Ｄとなる。従って、生成手段２０８−２は、資料Ｂ、Ｃ、Ｄを比較対象資料Ａの従資料候補とする。
【００４７】
次に、ステップＳ４５２で、事前出力判断手段２１０は、従資料候補Ｂ、Ｃ、Ｄは、比較対象資料Ａよりも先に出力されていたか否かが判断される。ここで、従資料候補Ｂ、Ｃについては、比較対象資料Ａよりも先に出力されていないので、ステップＳ４５２ではＮｏと判断される。そして、ステップＳ４５６で、生成手段２０８−２は、従資料候補Ｂ、Ｃを比較対象資料Ａの従資料とする。一方、従資料候補Ｄが以前の会議で出力されたことについては、主記憶手段３１２に記憶されていることから、事前出力判断手段２１０は、従資料候補Ｄは、比較対象資料Ａよりも先に出力されたと判断し、ステップＳ４５２はＹｅｓとなる。そして、ステップＳ４５４では、生成手段２０８−２は従資料候補Ｄを従資料としないことを決定する。以後の処理は、図６と同様なので説明を省略する。
【００４８】
上述のように、開始信号（今回の会議において、最初の画像Ａが今後出力されることを示す信号）が発表者甲により入力されることで、今回の会議が開始される。そして、生成手段２０８−２は、開始信号が入力された時以前（つまり、以前の会議）に出力された資料（この例では、資料Ｄ）については、従資料としない。図１６に、実施形態２の生成手段２０８−２が生成した関係情報を模式的に示す。生成手段２０８−２は、図１６に示すように、主資料をＡ、Ｄ、Ｘとし、主資料Ａの従資料を資料Ｂ、Ｃである旨の関係情報を生成する。
【００４９】
また、制御手段が図１０に示す制御手段３１０'であり、記憶装置が図１１に示す記憶装置２００'である場合には、事前出力判断手段２１０は、制御手段３１０'に設けるようにしてもよい。
【００５０】
この実施形態２の情報処理装置であれば、以前の会議で出力された資料（つまり、開始信号が入力された時以前に出力された資料）については、従資料とせずに、主資料とする。従って、生成手段２０８−２は、正確な関係情報を生成することが出来る。
［実施形態３］
実施形態３では、実施形態２で説明した、従資料から外れる対象となる資料（つまり、所定の条件を満たす資料）の他の例について説明する。これにより、実施形態３では、実施形態２同様に、正確な従資料を決定するものである。実施形態３の情報処理装置では、出力順序が図１７に示すものである場合を説明する。本実施形態３では、出力手段３２０により表示装置１００に対して、資料を出力継続している時間（以下、「出力時間」という。）を用いるものである。また、出力手段３２０が表示装置１００に対して、資料を出力継続している間は、当該表示装置は当該資料を表示し続ける。
【００５１】
出力時間が極端に短い資料（図１７の例では資料Ｃ）については、発表者の誤動作により出力された可能性や、出力されたが殆ど議論が行なわれなかった可能性が高い。従って、出力時間が極端に短い資料Ｃは主資料と関係が薄い可能性が高い。そこで、実施形態３では、出力時間が極端に短い資料Ｃについては、従資料としない。
【００５２】
図１８に、実施形態３の記憶装置２００−３の機能構成例を示す。図３記載の記憶装置２００と比較して、時間取得手段２１２、時間判断手段２１４が追加されている。当該時間取得手段２１２は、各資料Ａ、Ｂ、Ｃ、Ｄ、Ｘを表示装置１００に出力する際に、各資料Ａ、Ｂ、Ｃ、Ｄ、Ｘそれぞれについて、出力開始時刻、出力終了時刻を計測する。そして、当該時間取得手段２１２は、各資料Ａ、Ｂ、Ｃ、Ｄ、Ｘについての出力時間（出力を継続している時間）を取得する。時間判断手段２１４の処理については後述する。
【００５３】
図１９に本実施形態の情報処理システムの処理フローを示す。図１９の例では、図面簡略化のために、資料Ａ→資料Ｂ→資料Ａ→資料Ｘの順番で表示装置１００に出力された例を示す。図１９を図４とを比較すると、ステップＳ１０、Ｓ１６、Ｓ２２、Ｓ２８がそれぞれステップＳ５０、Ｓ５６、Ｓ６２、Ｓ６８に代替されている。また、ステップＳ１２、Ｓ１８、Ｓ２４、Ｓ３０はそれぞれステップＳ５２、Ｓ５８、Ｓ６４、Ｓ７０に代替されている。
【００５４】
例えば、ステップＳ５０では、出力手段３２０は、資料Ａと共に、当該資料Ａの出力開始時刻（図１７の例では、１４：００）を送信する。そして、ステップＳ５２では、画像記憶手段２０２は、資料Ａとともに、当該資料Ａの出力開始時刻を記憶する。
【００５５】
また、資料Ａの出力終了時刻については、次の資料Ｂの出力開始時刻と同時刻（１４：１０）となる。また、最後の資料Ｘの出力終了時刻については、ステップＳ３６で終了信号が送信された時刻とする。また、他のステップＳ５６、Ｓ６２、Ｓ６８、Ｓ５８、Ｓ６４、Ｓ７０においても同様の処理を行う。時間取得手段２１２は、各資料の出力時間を取得する。時間取得手段２１２の各資料の出力時間を取得するタイミングは、全ての資料（図１７の例では、資料Ａ、Ｂ、Ｃ、Ｄ、ＡＸ）を出力した後に行なってもよく、各資料の出力ごとに行なってもよい。
【００５６】
また、図２０に、実施形態３の生成手段２０８−３の関係情報の生成処理フローを示す。図２０の処理フローは、図６の処理フローと比較して、ステップＳ４６２、Ｓ４６４、Ｓ４６６が追加されている点で異なる。図１７に示す出力順序、出力時間に基づいて、図２０を説明する。
【００５７】
ステップＳ４２２では、生成手段２０８−３は、出力順が最初の資料Ａを比較対象資料とする。次に、ステップＳ４２４では、生成手段２０８−３は、比較対象資料Ａが同じ会議中にＮ回以上出力されたか否かを判断する。この例では、比較対象資料Ａは、２回出力されているので、Ｙｅｓと判断される。次に、ステップＳ４５０では、比較対象資料Ａがｎ回目に出力された時からｎ＋１回目に出力された時までの間に出力された時までの間に出力された資料を従資料候補とする。ここで、比較対象資料Ａが１回目に出力された時から、２回目に出力された時までの間に、出力された資料はＢ、Ｃ、Ｄとなる。従って、生成手段２０８−３は、資料Ｂ、Ｃ、Ｄを従資料候補とする。
【００５８】
次に、ステップＳ４６２で、時間判断手段２１４は、従資料候補Ｂ、Ｃ、Ｄそれぞれの出力時間が、予め定められた閾値未満であるか否かを判断する。この例では、閾値は「１分」とする。ここで、従資料候補Ｂ、Ｄそれぞれの出力時間は、５分、１５分であり、閾値以上となるので、ステップＳ４６２ではＮｏと判断される。そして、ステップＳ４６６で、生成手段２０８−３は、従資料候補Ｂ、Ｄを比較対象資料Ａの従資料とすることを決定する。一方、従資料候補Ｃの出力時間は、０分（詳細には、数秒）であり、閾値未満となるので、ステップＳ４６２ではＹｅｓとなる。そして、ステップＳ４６４では、生成手段２０８−３は従資料候補Ｃを従資料としないことを決定する。
【００５９】
また、従資料候補Ｃは、極端に短い出力時間であるために、発表者の誤動作により出力された可能性や、出力されたが殆ど説明が殆どを行なわれない可能性が高い。従って、所望者が後から閲覧または取得したとしても、無駄である可能性が高い。よって、資料Ｃについては、画像記憶手段２０２に記憶させないようにするか、消去することが好ましい。
【００６０】
図２１に、実施形態３の生成手段２０８−３が生成した関係情報を模式的に示す。生成手段２０８−３は、図２１に示すように、主資料をＡ、Ｘとし、主資料Ａの従資料をＢ、Ｄである旨の関係情報を生成する。また、資料Ｃは消去されている。
【００６１】
また、制御手段が図１０に示す制御手段３１０'であり、記憶装置が図１１に示す記憶装置２００'である場合には、時間判断手段２１４、時間取得手段２１２は、制御手段３１０'に設けるようにしてもよい。
【００６２】
この実施形態３の情報処理装置であれば、出力時間が閾値より短い資料については、従資料としない。従って、生成手段２０８−３は、正確な関係情報を生成することが出来る。
［実施形態４］
実施形態４では、実施形態２で説明した、従資料から外れる対象となる資料（つまり、所定の条件を満たす資料）の他の例について説明する。これにより、実施形態４では、正確な従資料を決定するものである。実施形態４の情報処理装置では、出力順序が図２２に示すものである場合について説明する。図２２に示す出力順序である場合に、生成手段３１０４が、図６に示す処理フローで、主資料、従資料を決定すると、図２３に示すようになる。図２３では、資料Ａ、Ｘが主資料となり、資料Ｂ、Ｃ、Ｄ、Ｅ、Ｆが主資料Ａに従属する従資料となる。
【００６３】
しかし、一般的に、２回の主資料Ａの出力の間に出力された資料の数が多大の場合には、主資料Ａと当該多大な数の資料との関係は薄い可能性が高い。つまり、図２２の例では、資料Ａと、資料Ｂ、Ｃ、Ｄ、Ｅ、Ｆとの関係は薄い可能性が高い。そこで、実施形態４では、従資料候補の数が多大になる場合には、当該従資料候補を全て従資料としないようにする。
【００６４】
図２４に、実施形態４の記憶装置２００−４の機能構成例を示す。図３記載の記憶装置２００と比較して、計測手段２１６、個数判断手段２１８が追加されている。また、図２５には、実施形態４の生成手段３１０４−４の関係情報の生成処理フローを示す。図２５の処理フローは、図６の処理フローと比較して、ステップＳ４７１、Ｓ４７２、Ｓ４７４、Ｓ４７６が追加されている点で異なる。図２２に示す出力順序に基づいて、図２５を説明する。
【００６５】
生成手段３１０４−４は、ステップＳ４２２、Ｓ４２４、Ｓ４５０の処理を行なうことで、資料Ｂ、Ｃ、Ｄ、Ｅ、Ｆを、比較対象資料Ａの従資料候補とする。そして、ステップＳ４７１で、計測手段２１６は、従資料候補の数（この例では「５」）を計測する。そして、ステップＳ４７２で、個数判断手段２１８は、計測手段２１６により計測された数が、予め定められた閾値以上か否かを判断する。ここで閾値を「４」とする。そうすると、個数判断手段２１８は、従資料候補の数（＝５）が閾値（＝４）以上であると判断するので、ステップＳ４７２ではＹｅｓと判断される。そして、ステップＳ４７４では、生成手段３１０４−４は従資料候補Ｂ、Ｃ、Ｄ、Ｅ、Ｆ全てを従資料としないことを決定する。また、個数判断手段２１８により、従資料候補の数が、閾値未満である場合には、ステップＳ４７２でＮｏと判断され、ステップＳ４７６で従資料候補を比較対象の従資料とする。以降の処理は、上述した通りなので省略する。
【００６６】
また、制御手段が図１０に示す制御手段３１０'であり、記憶装置が図１１に示す記憶装置２００'である場合には、個数判断手段２１８、計測手段２１６は制御手段３１０'に設けるようにしてもよい。
【００６７】
この実施形態４の情報処理装置であれば、従資料候補の数が多大の場合には、当該多大な従資料候補全てを従資料としない。従って、生成手段２０８−４は、正確な関係情報を生成することが出来る。
【００６８】
また、実施形態２〜４のうち、少なくとも２つの実施形態を組み合わせて用いることで、更に正確な従資料を決定することが出来る。
［実施形態５］
今回の会議よりも以前の会議でも、主資料と従資料に分けられる場合がある。図２６に、以前の会議での出力順序と、今回の会議の出力順序を示す。図２６の例では、以前の会議では、資料Ａ→資料Ｃ→資料Ａの順序で発表され、今回の会議では、資料Ａ→資料Ｂ→資料Ａの順序で発表された。以前の会議において、図６記載の処理フローを適用した場合には、生成手段３１４は、主画像Ａ、主画像Ａに従属する従画像Ｃである旨の関係情報を生成する。また、今回の会議において、図６記載の処理フローを適用した場合には、生成手段３１４は、主画像Ａ、主画像Ａに従属する従画像Ｂである旨の関係情報を生成する。
【００６９】
ここで、資料Ｂ、資料Ｃは同じ主画像Ａに従属することから、資料Ｂと資料Ｃとの間には、関連がある可能性が高い。そして所望者は、今回の会議で発表された資料Ａ、資料Ｂを閲覧、または、取得する際に、当該資料Ｂに関連のある資料Ｃも閲覧、または、取得できると、頗る使い勝手が良くなる。この実施形態３では、図２６のような、出力順序である場合に、生成手段３１４は、資料Ｂと資料Ｃとが関連がある旨の関係情報を生成することが出来る。
【００７０】
図２７に本実施形態５の記憶装置２００−５の機能構成例を示す。図２７を図３と比較すると、同一判断手段２２０が追加されている点で異なる。また、図２８に実施形態５の生成手段２０８−５の処理フローの一例を示す。前提として、以前の会議で生成手段２０８−５の図６に示す処理フローにより、資料Ａが主資料であり、資料Ｃが主資料Ａに従属する従資料Ｃである旨を示す関係情報は、主記憶手段３１２に予め記憶されているとする。
【００７１】
生成手段２０８−５は、ステップＳ４２２、Ｓ４２４、Ｓ４２６の処理を行なうことで、資料Ａが比較対象資料であり、資料Ｂが比較対象資料Ａに従属する従資料であることを決定する（詳細は図６で説明）。次に、ステップＳ４８０で、同一判断手段２２０が、比較対象資料Ａが、以前の会議で従資料を有する主資料であったか否かが判断される。図２６の例では、以前の会議での従資料Ｃを有する主資料Ａと、当該比較対象資料Ａとは同一であることから、Ｙｅｓと判断される。次に、ステップＳ４８２で、生成手段２０８−５は、今回の会議の従資料Ｂと、以前の会議の従資料Ｃとは、関連あるものとする。以後の処理は図６と同様なので説明を省略する。
【００７２】
また、図２６の例では、以前の会議が１つの場合について説明したが、本実施形態５では以前の会議が２つ以上である場合についても適用できる。
【００７３】
図２９に、生成手段２０８−５が生成した関係情報を模式的に示す。図２９に示すように、生成手段２０８−５により、資料Ａが主資料であり、資料Ｂが主資料Ａに従属する従資料であり、資料Ｂと資料Ｃとが関連ある旨の関係情報を生成される。換言すると、生成手段２０８−５は、現在の会議、および、当該現在の会議以前の１以上の会議それぞれについて同一の主資料があり（図２６の例では、資料Ａ）、かつ、当該同一の主資料に従属する異なる従画像（従資料Ｂ、Ｃ）がある場合には、当該異なる従資料Ｂ、Ｃ間について関連があることも示す関係情報を生成する。
【００７４】
また、制御手段が図１０に示す制御手段３１０'であり、記憶装置が図１１に示す記憶装置２００'である場合には、同一判断手段２２０は、制御手段３１０'に設けるようにしてもよい。
【００７５】
この実施形態５の情報処理装置によれば、以前の会議および今回の会議それぞれにおいて、同一の主資料が存在し、かつ、当該同一の主資料に従属する異なる従資料が存在する場合でも、当該異なる従資料同士関連がある旨の関係情報を生成する。従って、所望者は、異なる会議間での従資料について関連があることを認識することが出来る。
［実施形態６］
１つの資料は、複数の単位資料から構成されている場合がある。図３０に単位資料の一例について示す。図３０の例では、資料Ａは３つの単位資料Ａ−１〜Ａ−３から構成されている。また、資料Ｂは３つの単位資料Ｂ−１〜Ｂ−３から構成されている。資料Ａ→資料Ｂの順番で発表者甲により発表される場合には、発表者甲の操作により、原則として、資料Ａ−１→資料Ａ−２→資料Ａ−３→資料Ｂ−１→資料Ｂ−２→資料Ｂ−３の順番で出力される。
【００７６】
ところで、時間の都合や会議の流れなどにより、一部の単位資料の発表が省略される場合がある。図３０の例では、例えば、資料Ａ−１→資料Ａ−２→資料Ｂ−１→資料Ｂ−２→資料Ｂ−３の順番で出力され、単位資料Ａ−３の発表が省略される場合がある。この場合に、所望者は、会議終了後に、記憶装置２００に記憶されている資料を閲覧する際に、会議で発表された資料を認識できず、混乱を招く場合がある。この実施形態６では、発表されない単位資料が存在する場合でも、所望者は、発表された全ての単位資料を認識することが出来る。
【００７７】
また、実施形態１で説明したように、第１出力指示が入力されると、資料は表示装置１００に出力されるのであるが、更に詳細に説明すると、第１出力指示が入力されると当該資料中の１つ目の単位資料が出力される。そして、２つ目の単位資料を出力させる際には、ユーザは、第２出力指示を入力する。第２出力指示とは、例えば、資料を構成する全ての単位資料を表示手段３２４に表示させ、出力させる単位資料をクリックすることである。例えば、図３０に示す資料Ａが出力されている途中であれば、当該資料Ａを構成する全ての単位資料Ａ−１〜Ａ−３を表示手段３２４に表示させ、発表者甲は、出力させたい単位資料をクリックする。
【００７８】
図３１に、本実施形態６の情報処理システムの処理フローの一例を示す。また、図３２−１に、本実施形態６の記憶装置２００−６の機能構成例を示し、図３２−２に本実施形態６の情報処理装置３００−６の機能構成例を示す。図３２−１は図３と比較して、画像取得手段２２２が追加されている点で異なる。また、図３２−２は図２と比較して、スナップショット作成手段３２６が追加されている点で異なる。
【００７９】
図３１において、ステップＳ２〜Ｓ１２までの処理を終了後、ステップＳ８、Ｓ１０で資料Ａを表示装置１００に出力し、資料Ａの発表が終了し、発表者甲は、資料Ａの次の資料Ｂを表示装置１００に出力させるために、第１出力指示を入力する。スナップショット作成手段３２６は、当該第１出力指示が入力された時に出力されている単位画像を取得する（ステップＳ１１５）。ここで、当該単位資料の取得とは、スナップショットを作成することである。また、スナップショット作成手段３２６により、取得されたスナップショットは、例えば、主記憶手段３１２に一時的に記憶される。
【００８０】
図３０を用いて、画像取得手段２２２を説明すると、例えば、発表者甲が資料Ａ中の単位資料Ａ−２を出力し続けており、第１出力指示を入力することで、次の資料Ｂの出力に切り換えた場合に、スナップショット作成手段３２６は、当該出力し続けていた単位資料Ａ−２（のスナップショット）を取得する。当該取得された単位資料Ａ−２は、主記憶手段３１２に一時記憶される。画像取得手段２２２が取得する単位資料を「資料の最後の単位資料」という。
【００８１】
そして、ステップＳ１１６で、資料Ｂと、資料Ａの最後の単位資料（つまり単位資料Ａ−２）を画像記憶手段２０２に送信する。ステップＳ１１８では、画像記憶手段２０２が、送信された資料Ｂを記憶すると共に、ステップＳ１２で記憶した資料Ａと当該資料Ａの単位資料Ａ−２を対応付けて記憶する。そして、記憶装置２００−６の画像取得手段２２２は、全ての資料について、第１出力指示が入力された時の単位画像を取得する。そして、画像記憶手段２０２は、当該全ての資料それぞれと、単位資料とを対応付けて記憶させる。
【００８２】
図３３に、所望者が、会議の資料を取得した場合に、表示手段３２４に表示される形式の一例を示す。図９と比較して、各資料Ａ、Ｂ、Ｘそれぞれについて、取得した単位資料Ａ'、Ｂ'、Ｘ'が対応付けられている。図９の例では、取得された単位資料Ａ'、Ｂ'、Ｘ'が、各資料Ａ、Ｂ、Ｘ近傍に配置されている。所望者は、各資料Ａ、Ｂ、Ｘのアイコンをクリックすると、当該各資料全ての単位資料を取得することが出来る。また、所望者は、表示されている単位資料Ａ'、Ｂ'、Ｘ'のアイコンをクリックすると、各資料の最後の単位資料を取得することが出来る。従って、所望者は、各資料について最後の単位資料を取得することが出来、当該各資料について、最後に出力された（発表者により発表された単位資料）を認識できる。
【００８３】
この実施形態６の情報処理装置であれば、所望者は、各資料について最後に出力された単位資料を認識することが出来る。従って、所望者は、会議で使用された資料を適切に認識することが出来る。
［実施形態７］
実施形態７では、発表者が複数いることで、会議で用いられる情報処理装置が複数ある場合について説明する。情報処理装置が複数ある場合において、全ての情報処理装置から出力された資料全てについて（全てをまとめて）、主資料および従資料に分けて記憶させたい場合と、各情報処理装置ごとに、主資料、従資料を分けて記憶させたい場合がある。この実施形態７では、このような要望にも、適切に対応することが出来る。
【００８４】
図３４に、実施形態７の情報処理システムの機能構成例を示す。図３４では、図面簡略化のために、２つの情報処理装置３００、４００を記載している。情報処理装置３００、４００それぞれは、表示装置１００に接続されており、記憶装置２００にネットワーク５０経由で接続されている。図３４の例では、発表者甲は、情報処理装置３００を用いて、資料を表示装置１００に出力して表示させる。また、発表者乙は、情報処理装置４００を用いて、資料を表示装置１００に出力して表示させる。以下の説明では、複数の情報処理装置が情報処理装置３００、４００の２つある場合について説明するが、情報処理装置が３つ以上ある場合でも、本実施形態７の情報処理システムを適用することが出来る。
【００８５】
図３５に実施形態７の記憶装置２００−７の機能構成例を示す。図３５は、図３の記憶装置２００と比較して、設定判断手段２２４が追加されている点で異なる。記憶装置２００−７中の画像記憶手段２０２、順序記憶手段２０４、順序取得手段２０６は実施形態１で説明したとおりである。実施形態７では、記憶装置２００−７の生成手段２０８−７が関係情報を生成する。また、各情報処理装置の機能構成例は、図２と同様である。
【００８６】
図３６に、実施形態７の情報処理システムの処理フローを示す。また、実施形態７では、各情報処理装置それぞれは、自己を識別するための識別情報を保持している。また、この実施形態７では、資料の出力順序が、情報処理装置３００からの資料Ａ→情報処理装置４００からの資料Ｂ→情報処理装置３００からの資料Ｃ→情報処理装置３００からの資料Ａ→情報処理装置３００からの資料Ｘ、である場合を説明する。
【００８７】
図３６において、ステップＳ２〜Ｓ６の処理が終了すると、ステップＳ２０８で、発表者甲による第１出力指示の入力により、情報処理装置３００の出力手段３２０は、資料Ａを表示装置１００に送信する。そして、ステップＳ２１０で、情報処理装置３００の出力手段３２０は、記憶装置２００−７（画像記憶手段２０２）に対して、資料Ａと共に、情報処理装置３００自身の識別情報を送信する。そして、ステップＳ２１２、Ｓ２１３で、画像記憶手段２０２は、資料Ａを記憶すると共に、順序記憶手段２０４に対して、出力の順序の更新要求を行う（ステップＳ２１８、Ｓ２１９）。
【００８８】
次に、ステップＳ２１４で、発表者乙による第１出力指示の入力により、情報処理装置４００の出力手段３２０は、資料Ｂを表示装置１００に送信する。そして、ステップＳ２１６で、情報処理装置４００の出力手段３２０は、記憶装置２００−７（画像記憶手段２０２）に対して、資料Ｂと共に、情報処理装置４００自身の識別情報を送信する。そして、ステップＳ２１８、Ｓ２１９で、画像記憶手段２０２は、資料Ｂを記憶すると共に、順序記憶手段２０４に対して、出力の順序の更新要求を行う。
【００８９】
同じ処理を資料Ｃについて行い（ステップＳ２２０、Ｓ２２２、Ｓ２２４、Ｓ２２５）、資料Ａについて行い（ステップＳ２２６、Ｓ２２８、Ｓ２３０、Ｓ２３１）、資料Ｘについて行なう（Ｓ２３２、Ｓ２３４、Ｓ２３６、Ｓ２３７）。そして、ステップＳ３２、Ｓ３４、Ｓ３６の処理が終了すると、生成手段２０８は、関係情報を生成する。図３７に、ステップＳ３６の処理終了時点の、順序記憶手段２０４に記憶されている出力順序の一例を示す。図３７は図５と比較して、各資料を出力した情報処理装置（の識別情報）も対応付けられて記憶されている点で異なる。例えば、出力順序が１番の資料Ａと、当該資料Ａを送信した情報処理装置３００とが対応付けられている。
【００９０】
そして、順序取得手段２０６が、図３７に示す出力の順序を取得する。生成手段２０８−７が、取得された出力の順序に基づいて、関係情報を生成する。図３８に生成手段２０８−７の関係情報の生成手法の一例を示す。図６と比較して、図３８は、ステップＳ５０２、Ｓ５０４、Ｓ５０６が追加されている点で異なる。また、以下の説明では、発表者甲が操作する情報処理装置３００を自己の情報処理装置（以下、「自情報処理装置３００」という。）とし、発表者乙が操作する情報処理装置４００を他の情報処理装置（以下、「他情報処理装置４００」という。）とする。
【００９１】
ステップＳ４２２では、生成手段２０８−７は、出力順が最初の資料Ａを比較対象資料とする。次に、ステップＳ４２４では、生成手段２０８−７は、比較対象資料Ａが同じ会議中にＮ回以上出力されたか否かを判断する。この例では、比較対象資料Ａは、２回出力されているので、Ｙｅｓと判断される。ステップＳ５０２では、設定判断手段２２４は、他情報処理装置３００からの資料も従資料とするか否かを判断する。
【００９２】
ここで、自情報処理装置３００および他情報処理装置４００それぞれから出力された全ての資料をまとめたものから、主資料、従資料に分けるモードを「全体モード」とする。また、情報処理装置３００、４００ごとに、当該情報処理装置３００、４００から出力された資料を、主資料、従資料に分けるモードを「個別モード」という。「全体モード」または「個別モード」の入力は、自情報処理装置３００または他情報処理装置４００の入力手段３２２から発表者などにより入力される。
【００９３】
発表者により、「全体モード」が選択されている場合には、「他情報処理装置からの資料も従資料とする」ということなので、ステップＳ５０２では、設定判断手段２２４によりＹｅｓと判断され、ステップＳ５０４に移行する。そして、ステップＳ５０４では、生成手段２０８−７は、比較対象資料がｎ回目に出力された時から、ｎ＋１回目に出力された時までの間に、全ての情報処理装置から出力された出力された資料を従資料とする。ここで、図３７の例では、従資料は、資料Ｂ、Ｃが従資料となる。従って、ステップＳ５０４では、従資料を資料Ｂ、Ｃとする。そして、ステップＳ４２８の処理を経て、ステップＳ４３０では、図３９に示すように、生成手段２０８−７は、資料Ａ、Ｘを主資料とし、資料Ｂ、Ｃを主資料Ａに従属する従資料とする。その他の処理は、図６と同様なので説明を省略する。
【００９４】
一方、発表者により、「個別モード」が選択されている場合には、「他情報処理装置からの資料も従資料としない」ということなので、ステップＳ５０２では、設定判断手段２２４によりＮｏと判断され、ステップＳ５０６に移行する。そして、ステップＳ５０６では、生成手段２０８−７は、比較対象資料がｎ回目に出力された時から、ｎ＋１回目に出力された時までの間に、自情報処理装置３００から出力された出力された資料を従資料とする。ここで、図３７の例では、資料Ｃが従資料となる。従って、ステップＳ５０４では、従資料を資料Ｃとする。そして、ステップＳ４２８の処理を経て、ステップＳ４３０では、図４０に示すように、生成手段２０８−７は、資料Ａ、Ｘを自情報処理装置３００の主資料とし、資料Ｂを他情報処理装置４００の主資料とし、資料Ｃを自情報処理装置３００の主資料Ａの従資料とする。
【００９５】
このように、本実施形態７の入力手段３２２には、表示装置１００に他情報処理装置からも画像が出力される場合に、他情報処理装置から出力された画像が従画像とするか否かが入力される（つまり、個別モードまたは全体モードが入力される）。また、実施形態２で説明した「所定の条件を満たす画像」とは、入力手段３２２に否と入力された場合（つまり個別モードが設定されている場合）、他情報処理装置から出力された画像を含むともいえる。
【００９６】
この実施形態７の情報処理装置であれば、個別モードまたは全体モードを使い分けることが出来、所望者にとって、更に使い勝手の良くなるものとなる。
［実施形態８］
実施形態８では、情報処理装置が複数ある場合について説明する。複数の情報処理装置が用いられている会議では、会議の主催発表者（主要な発表者）が用いる情報処理装置は、資料の出力回数が最も多い傾向がある。そこで、実施形態８では、複数の情報処理装置がある場合には、資料の出力回数が最も多い情報処理装置を主要な情報処理装置（以下、「主情報処理装置」という。）であるとみなす。そして、主情報処理装置が出力した主資料を、複数の情報処理装置が出力した全資料中の主資料とするものである。
【００９７】
実施形態８の情報処理システムの機能構成例は、図３４と同様である。以下の説明では、複数の情報処理装置が２つである場合（情報処理装置３００、４００）を説明するが、情報処理装置が３つ以上ある場合でも適用することが出来る。図４１に実施形態８の資料の出力順序を示す。この実施形態８では、図４１に示すように、資料の出力順序が、情報処理装置３００からの資料Ａ→情報処理装置４００からの資料Ｂ→情報処理装置３００からの資料Ｃ→情報処理装置４００からの資料Ｂ→情報処理装置３００からの資料Ｘ、である場合を説明する。また、実施形態８の情報処理システムの処理フローは、図３６と同様に、それぞれの情報処理装置３００、４００は、資料を記憶装置２００（画像記憶手段２０２）に送信する際に、自己の識別情報も送信する。
【００９８】
図４２に、実施形態８の記憶装置２００−８の機能構成例を示す。図４２は、図３の記憶装置２００と比較して、出力回数判断手段２２６と出力回数取得手段２２８が追加されている点で異なる。また、実施形態７と異なる点は、主に、関係情報を生成する処理（図３６のステップＳ４２）であるので、関係情報を生成する処理について説明する。図４３に、生成手段２０８−８の処理フローを示す。図６と比較して、ステップＳ６０２、Ｓ６０３、Ｓ６０４、Ｓ６０６が追加されている点で異なる。
【００９９】
図４３中のステップＳ４２８の処理が終了すると、ステップＳ６０２において、出力回数判断手段２２６は、各情報処理装置３００、４００から送信された識別情報があるか否かを判断する。ステップＳ６０２において、出力回数判断手段２２６によりＮｏと判断された場合、つまり、出力回数判断手段２２６により識別情報がないと判断された場合、ステップＳ４３０の処理に移行する。ステップＳ４３０の処理は図６で説明した通りなので説明を省略する。
【０１００】
一方、ステップＳ６０２において、出力回数判断手段２２６によりＹｅｓと判断された場合、つまり、出力回数判断手段２２６により識別情報があると判断された場合、ステップＳ６０３の処理に移行する。ステップＳ６０３では、出力回数取得手段２２８が、各情報処理装置３００、４００それぞれの出力回数を計数し、取得する。図４１の例では、情報処理装置３００の出力回数が３回、情報処理装置４００の出力回数が２回となる。
【０１０１】
ステップＳ６０４では、出力回数判断手段２２６は、出力回数が最も多い情報処理装置を主情報処理装置であると判断する。この例では、情報処理装置３００が主情報処理装置であると判断する。
【０１０２】
ステップＳ６０６では、生成手段２０８−８は、主情報処理装置３００が出力した資料を主資料とする。図４１の例では、資料Ａ、Ｃ、Ｘが主資料となる。また、主資料ＡとＣの間に出力された資料Ｂが、当該主資料Ａ、Ｃに従属する従資料となる。図４４に本実施形態８の生成手段２０８−８が、生成した関係情報を模式的に示す。図４４に示すように、主情報処理装置３００が出力した資料Ａ、Ｃ、Ｘが主資料となり、資料Ｂが主資料Ｃの従資料となる。
【０１０３】
この実施形態８の情報処理システムによれば、複数の情報処理装置がある場合には、主情報処理装置を定め、当該主情報処理装置から出力された資料を主資料とする。従って、会議において、議論が多くなされた（重要度の高い）資料と議論がなされなかった（重要度が低い）資料との関係を、所望者は把握でき、使い勝手が良くなる。
【符号の説明】
【０１０４】
５０          ネットワーク
１００        表示装置
２００        記憶装置
２０２        画像記憶手段
２０４        順序記憶手段
２０６        順序取得手段
２０８        生成手段
２１０        事前出力判断手段
２１２        時間取得手段
２１４        時間判断手段
２１６        計測手段
２１８        個数判断手段
２２０        同一判断手段
２２２        画像取得手段
２２４        設定判断手段
２２６        出力回数判断手段
２２８        出力回数取得手段
３００        情報処理装置
３１０        制御手段
３１２        主記憶手段
３１４        補助記憶手段
３１６        外部記憶装置Ｉ／Ｆ手段
３１８        記憶媒体
３２０        通信手段（出力手段）
３２２        入力手段
３２４        表示手段
３２６        スナップショット作成手段
【先行技術文献】
【特許文献】
【０１０５】
【特許文献１】特開２００４−２８２１８６号公報
【図１】
0005895470.tif 000002
【図２】
0005895470.tif 000003
【図３】
0005895470.tif 000004
【図４】
0005895470.tif 000005
【図５】
0005895470.tif 000006
【図６】
0005895470.tif 000007
【図７】
0005895470.tif 000008
【図８】
0005895470.tif 000009
【図９】
0005895470.tif 000010
【図１０】
0005895470.tif 000011
【図１１】
0005895470.tif 000012
【図１２】
0005895470.tif 000013
【図１３】
0005895470.tif 000014
【図１４】
0005895470.tif 000015
【図１５】
0005895470.tif 000016
【図１６】
0005895470.tif 000017
【図１７】
0005895470.tif 000018
【図１８】
0005895470.tif 000019
【図１９】
0005895470.tif 000020
【図２０】
0005895470.tif 000021
【図２１】
0005895470.tif 000022
【図２２】
0005895470.tif 000023
【図２３】
0005895470.tif 000024
【図２４】
0005895470.tif 000025
【図２５】
0005895470.tif 000026
【図２６】
0005895470.tif 000027
【図２７】
0005895470.tif 000028
【図２８】
0005895470.tif 000029
【図２９】
0005895470.tif 000030
【図３０】
0005895470.tif 000031
【図３１】
0005895470.tif 000032
【図３２−１】
0005895470.tif 000033
【図３２−２】
0005895470.tif 000034
【図３３】
0005895470.tif 000035
【図３４】
0005895470.tif 000036
【図３５】
0005895470.tif 000037
【図３６】
0005895470.tif 000038
【図３７】
0005895470.tif 000039
【図３８】
0005895470.tif 000040
【図３９】
0005895470.tif 000041
【図４０】
0005895470.tif 000042
【図４１】
0005895470.tif 000043
【図４２】
0005895470.tif 000044
【図４３】
0005895470.tif 000045
【図４４】
0005895470.tif 000046